Podtech/llm-jp-corpus-v4-ja_patent huggingface dataset:
【手続補正書】
【提出日】平成28年4月29日(2016.4.29)
【手続補正１】
【補正対象書類名】特許請求の範囲
【補正対象項目名】全文
【補正方法】変更
【補正の内容】
【特許請求の範囲】
【請求項１】
コーティング材で物体をコーティングするためのマグネトロン・スパッタリング・デバイスであって、
動作時に排気がなされるように適合されたコーティング・チャンバーと、
コーティングを形成するための材料を備えたターゲットを含むカソードと、
コーティング領域内でコーティングされる物体を支持するための支持材を有する１つまたは複数のコーティング領域と、
容器を備える統合したアノードおよび活性化反応性ガス源と
を備え、前記容器は、
電源のプラス出力に電気的に結合され、前記アノードが電子の好ましい帰路となるように電圧差を前記カソードに与えるための前記アノードを備える前記容器の内部導電性表面と、
チャンバー壁から電気的に絶縁された前記容器の絶縁外面と、
前記コーティング・チャンバーと連通する前記容器内部への単一の開口部と、
スパッタリング・ガスを前記単一の開口部を通して前記コーティング・チャンバー内に送り込むための前記容器に結合されているスパッタリング・ガスの供給源と、
反応性ガスを前記単一の開口部を通して前記コーティング・チャンバー内に送り込むための前記容器に結合されている反応性ガスの供給源と
を含み、
前記カソードならびに統合したアノードおよび活性化反応性ガス源は、中心回転軸から一定の半径方向距離のところに互いに隣接するように配置される、マグネトロン・スパッタリング・デバイス。
【請求項２】
前記単一の開口部は、前記内部導電性表面をほとんどのスパッタリングされた材料から遮蔽して保護するために、前記容器の周より小さい請求項１に記載のマグネトロン・スパッタリング・デバイス。
【請求項３】
前記単一の開口部は、前記容器内の局所的な圧力が前記コーティング・チャンバー内の圧力より高くなるようにスパッタ・ガスおよび反応性ガスの流れが選択されうるように寸法が決められる請求項２に記載のマグネトロン・スパッタリング・デバイス。
【請求項４】
前記容器の前記内部導電性表面を含む前記アノードに印加される電圧は、１５から８０ボルトである請求項３に記載のマグネトロン・スパッタリング・デバイス。
【請求項５】
前記スパッタリング・ガスは、アルゴンであり、前記反応性ガスは、酸素または窒素である請求項４に記載のマグネトロン・スパッタリング・デバイス。
【請求項６】
前記統合したアノードおよび活性化反応性ガス源を構成する前記容器の前記単一の開口部は、前記カソードと同じ、また隣接する壁において前記コーティング・チャンバーの壁に結合される請求項５に記載のマグネトロン・スパッタリング・デバイス。
【請求項７】
前記容器の前記絶縁外面は、前記コーティング・チャンバーの外部に配置される請求項６に記載のマグネトロン・スパッタリング・デバイス。
【請求項８】
コーティングされる前記物体の表面の平面から前記容器の前記単一の開口部を含む平面までの距離は、コーティングされる前記物体の前記表面の平面から前記ターゲットの表面の平面までの距離以上である請求項７に記載のマグネトロン・スパッタリング・デバイス。
【請求項９】
統合したアノードおよび活性化反応性ガス源を構成する２つまたはそれ以上の容器は、前記カソードに隣接する実質的に反対側の位置に配置される請求項８に記載のマグネトロン・スパッタリング・デバイス。
【請求項１０】
前記統合したアノードおよび活性化反応性ガス源を補強するためにさらなる反応性ガス源を含む請求項８に記載のマグネトロン・スパッタリング・デバイス。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
黒ショウガの乾燥粉末に対してナタネ油あるいはパーム油を含むコート剤を噴霧することにより、前記黒ショウガの乾燥粉末を前記コート剤で被覆することを特徴とする経口用組成物の製造方法。
【請求項２】
黒ショウガ抽出物の乾燥粉末に対してナタネ油あるいはパーム油を含むコート剤を噴霧することにより、前記黒ショウガ抽出物の乾燥粉末を前記コート剤で被覆することを特徴とする経口用組成物の製造方法。
【手続補正２】
【補正対象書類名】明細書
【補正対象項目名】発明の名称
【補正方法】変更
【補正の内容】
【発明の名称】経口用組成物の製造方法
【手続補正３】
【補正対象書類名】明細書
【補正対象項目名】００１０
【補正方法】変更
【補正の内容】
【００１０】
（１）黒ショウガの乾燥粉末に対してナタネ油あるいはパーム油を含むコート剤を噴霧することにより、前記黒ショウガの乾燥粉末を前記コート剤で被覆することを特徴とする経口用組成物の製造方法。
（２）黒ショウガ抽出物の乾燥粉末に対してナタネ油あるいはパーム油を含むコート剤を噴霧することにより、前記黒ショウガ抽出物の乾燥粉末を前記コート剤で被覆することを特徴とする経口用組成物の製造方法。
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
（Ａ）リン含有硬化剤と、（Ｂ）エポキシ樹脂と、リン系化合物（但し（Ａ）成分を除く）を含有するエポキシ樹脂組成物であり、
該（Ａ）リン含有硬化剤は、下記化学式（８）で表される構造単位Ａと化学式（９）で表される構造単位Ｂとを有する樹脂、下記化学式（１０）で表される構造単位Ｃと化学式（１１）で表される構造単位Ｄとを有する樹脂、及び下記化学式（１２）で表される構造単位Ｅと化学式（１３）で表される構造単位Ｆとを有する樹脂から選ばれ、
エポキシ樹脂組成物中のリン含有量が、樹脂組成物固形分全体の０．８〜５．０質量％である、エポキシ樹脂組成物。
【化１】
2016104891.tif 000001
【化２】
2016104891.tif 000002
【化３】
2016104891.tif 000003
【化４】
2016104891.tif 000004
【化５】
2016104891.tif 000005
【化６】
2016104891.tif 000006
【請求項２】
前記リン系化合物（但し（Ａ）成分を除く）が、１，３−フェニレン−ビス−（ジ−２，６−キシレニルホスフェート）である、請求項１に記載のエポキシ樹脂組成物。
【請求項３】
さらに、フェノール樹脂（但しリンを含有しない）を含有する、請求項１又は２に記載のエポキシ樹脂組成物。
【請求項４】
請求項１〜３のいずれかに記載のエポキシ樹脂組成物を基材に含浸させてなるプリプレグ。
【請求項５】
請求項１〜３のいずれかに記載のエポキシ樹脂組成物を支持体に積層してなる支持体付き樹脂フィルム。
【請求項６】
請求項４に記載のプリプレグの一方もしくは両方の面、又は請求項５に記載の支持体付き樹脂フィルムの一方もしくは両方の面に金属箔を配してなる金属箔張り積層板。
【請求項７】
請求項４に記載のプリプレグよりなる層、請求項５に記載の支持体付き樹脂フィルムの樹脂フィルムよりなる層、及び請求項６に記載の金属箔張り積層板よりなる層を１層又は２層以上含む多層プリント配線板。
【手続補正２】
【補正対象書類名】明細書
【補正対象項目名】００４８
【補正方法】変更
【補正の内容】
【００４８】
＜リン含有量＞
難燃性の観点からは、エポキシ樹脂組成物中のリン含有量が、樹脂組成物固形分全体の０．８〜５．０質量％であることが好ましく、１．０〜２．５質量％であることがより好ましい。リン含有量が、樹脂組成物固形分全体の０．８質量％未満の場合は、安定した難燃性が得られ難く、５．０質量％を超える場合は、硬化物の特性が悪化する。
ここで、リン含有量とは、エポキシ樹脂組成物中のリン原子の含有量であり、例えば、分子量６２０の物質にリン原子が１個あり、この物質を５０質量％含む配合であれば、２．５質量％のリン含有量になる（リン原子の原子量が約３１であるから、３１／６２０×０．５＝０．０２５）。
【手続補正書】
【提出日】平成28年4月8日(2016.4.8)
【手続補正１】
【補正対象書類名】明細書
【補正対象項目名】発明の名称
【補正方法】変更
【補正の内容】
【発明の名称】セルロースナノファイバー入りポリオレフィン微多孔延伸フィルムの製造に用いるための押出成形体の製造方法
【手続補正２】
【補正対象書類名】特許請求の範囲
【補正対象項目名】全文
【補正方法】変更
【補正の内容】
【特許請求の範囲】
【請求項１】
粉末粒形のセルロースの水酸基を二塩基酸無水物を用いて親油性処理したものを、可塑剤に均一分散させてセルロース粉末分散混合物を得る第１工程と、前記セルロース粉末分散混合物とポリオレフィンとを溶融混練してポリオレフィン樹脂組成物を得る第２工程と、前記ポリオレフィン樹脂組成物を押出成形して押出成形体を得る第３工程からなり、
かつ、二軸混練押出機(2)は前記第２、第３工程を通して一度だけの使用である、セルロースナノファイバー入りポリオレフィン微多孔延伸フィルムの製造に用いるための押出成形体の製造方法。
【請求項２】
前記親油性処理は、半エステル化処理を行った後、二次的にプロピレンオキシド付加処理を行う、請求項１に記載の押出成形体の製造方法。
【請求項３】
前記可塑剤として、流動パラフィン、ノナン、デカン、デカリン、パラキシレン、ウンデカン、ドデカンの鎖状又は環式の脂肪族炭化水素、及び沸点がこれらに対応する鉱油留分、並びにジブチルフタレート、ジオクチルフタレートの室温では液状のフタル酸エステルのうち一種類又は数種類の混合物を用いる、請求項１または２に記載の押出成形体の製造方法。
【請求項４】
前記セルロース粉末分散混合物中のセルロース粉末が０．０１〜３０重量パーセントである、請求項１ないし３の何れかに記載の押出成形体の製造方法。
【請求項５】
粉末粒形のセルロースの水酸基を二塩基酸無水物を用いて親油性処理したものを、可塑剤に均一分散させてセルロース粉末分散混合物を得る第１工程と、前記セルロース粉末分散混合物とポリオレフィンとを溶融混練してポリオレフィン樹脂組成物を得る第２工程と、前記ポリオレフィン樹脂組成物を押出成形して押出成形体を得る第３工程とを含み、
かつ、二軸混練押出機(2)は前記第２、第３工程を通して一度だけの使用である、セルロースナノファイバー入りポリオレフィン微多孔延伸フィルムの製造方法。
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
被験体の口中の細菌を減少させるための水性組成物であって、可溶性誘導体化キトサンを含み、該誘導体化キトサンが、以下の式（Ｉ）
【化１５３】
2016104819.tif 000001
のキトサンを含み、
式中
ｎは、２０〜６０００の整数であり、
各Ｒ１は、出現する毎に、水素、アセチル、および式（ＩＩ）の基から独立に選択され、ここで、式（ＩＩ）が、
【化１５４】
2016104819.tif 000002
から選択され、
Ｒ１置換基の少なくとも２５％はＨであり、Ｒ１置換基の少なくとも１％はアセチルであり、Ｒ１置換基の少なくとも２％は式（ＩＩ）の基であり、
該誘導体化キトサンの分子量は、１０，０００〜１５０，０００Ｄａであり、
該誘導体化キトサンの濃度は、１０〜２５０ｐｐｍであり、
該水性組成物がさらに、湿潤剤を含み、
有効量の水性組成物が、該口と接触し、該水性組成物が吐き出され、それによって、該被験体の口中の細菌を減少させることを特徴とする、
水性組成物。
【請求項２】
前記被験体の口中の細菌の量が、前記組成物と接触していない細菌の量と比較して、少なくとも５０％減少する、請求項１に記載の水性組成物。
【請求項３】
前記被験体が、少なくとも２ｍｌの前記組成物を含む前記組成物で口をすすぐ、請求項１に記載の水性組成物。
【請求項４】
前記被験体が、前記組成物で少なくとも１５秒間、口をすすぐ、請求項１に記載の水性組成物。
【請求項５】
前記組成物が、前記被験体によって摂取されない、請求項１に記載の水性組成物。
【請求項６】
前記被験体が、前記組成物で少なくとも１日１回、口をすすぐ、請求項１に記載の水性組成物。
【請求項７】
前記被験体が、少なくとも１０ｍｌの前記組成物で１日２回、口をすすぐ、請求項１に記載の水性組成物。
【請求項８】
前記被験体が、１種または複数の口腔疾患または状態を有する、請求項１に記載の水性組成物。
【請求項９】
前記口腔疾患または状態が、歯垢、歯肉炎、齲蝕、または口臭である、請求項８に記載の水性組成物。
【請求項１０】
前記被験体が、歯垢、腫れた歯肉、口のびらん、明赤色もしくは紫色の歯肉、光沢のある歯肉、膿を出す腫れた歯肉、猛烈な口腔の臭い、圧力がかからない限り無痛の歯肉、穏やかな歯磨きでさえ容易に出血する歯肉、または様々な程度の重症度を伴う痒みを有する歯肉を有する、請求項１に記載の水性組成物。
【請求項１１】
前記被験体が、デンタルフロスを使用したとき容易に出血する歯肉を有する、請求項１０に記載の水性組成物。
【請求項１２】
前記被験体が、Ｓｔｒｅｐｔｏｃｏｃｃｕｓ  ｍｕｔａｎｓ、Ｓｔｒｅｐｔｏｃｏｃｃｕｓ  ｓａｎｇｕｉｓ、Ｔｒｅｐｏｎｅｍａ  ｄｅｎｔｉｃｏｌａ、Ｐｏｒｐｈｙｒｏｍｏｎａｓ  ｇｉｎｇｉｖａｌｉｓ、Ａｇｇｒｅｇａｔｉｂａｃｔｅｒ  ａｃｔｉｎｏｍｙｃｅｔｅｍｃｏｍｉｔａｎｓ、Ｆｕｓｏｓｐｉｒｏｃｈｅｔｅｓ、Ｖｅｉｌｌｏｎｅｌｌａ、および病原性Ｌａｃｔｏｂａｃｉｌｌｉのいくつかの形態、Ａｃｔｉｎｏｍｙｃｅｓ  ｖｉｓｃｏｓｕｓ、またはＮｏｃａｒｄｉａ  ｓｐｐ．に感染している、請求項１に記載の水性組成物。
【請求項１３】
抗生物質が被験体に投与されることによって特徴づけられる、請求項１に記載の水性組成物。
【請求項１４】
機械的または超音波デブリードマンの使用によって、口から細菌および関連する残屑の表層が物理的に除去される、請求項１に記載の水性組成物。
【請求項１５】
前記湿潤剤がポリオールである、請求項１に記載の水性組成物。
【請求項１６】
前記湿潤剤がグリセリンである、請求項１に記載の水性組成物。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
配列番号１〜５から選択されるポリヌクレオチド配列を含む単一バキュロウイルスベクター。
【請求項２】
請求項１記載のベクターを含む、宿主細胞。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
キシリトールを製造するプロセスであって、
リグノセルロースを分解するため、および、リグノセルロース原料から分解産物を分離するために、アルコール、特にＣ１−４アルコールまたはフェノールを含み、且つ、ｐＨ値が１１．０から１４．０の間にある水溶液を用いて、リグノセルロース原料を処理することで、セルロースとヘミセルロースとが豊富な原料を得て、
得られたセルロースとヘミセルロースとが豊富な上記原料を、キシロースを得るために、キシラナーゼで処理し、
上記キシロースを、酵素的にキシリトールに変換することを特徴とするキシリトールを製造するプロセス。
【請求項２】
上記水溶液は、ｐＨ値が１１．０から１３．０の間にあることを特徴とする請求項１に記載のプロセス。
【請求項３】
上記分解は、１００℃より低い温度で起こることを特徴とする請求項１または２に記載のプロセス。
【請求項４】
リグノセルロース原料として、わら、バガス、エネルギー草および／またはスペルト小麦を用いることを特徴とする請求項１から３のいずれか１項に記載のプロセス。
【請求項５】
上記リグノセルロース原料は、水溶液中に、５〜４０重量％のストック濃度で存在することを特徴とする請求項１から４のいずれか１項に記載のプロセス。
【請求項６】
上記リグノセルロース原料のグルコース、キシロースおよびリグニンの成分を、分離した材料流から得ることを特徴とする請求項１から５のいずれか１項に記載のプロセス。
【請求項７】
上記アルコールを含有する上記水溶液で処理した後、リグニンを含有する溶液を分離し、分解された固形物をキシラナーゼで処理し、液相を上記固形物から分離することを特徴とする請求項１から６のいずれか１項に記載のプロセス。
【請求項８】
上記キシラナーゼを用いた処理を、３０〜９０℃で行うことを特徴とする請求項７に記載のプロセス。
【請求項９】
セルロースとヘミセルロースとが豊富な上記原料をキシラナーゼを用いて変換し、得られた液相をキシリトールに酵素的に変換し、残りの固形物を、
異なる発酵産物を得るために、セルラーゼでさらに反応させるか、または、
熱的または熱化学的な変換に付すか、または、
細菌、酵母または真菌による微生物変換に付すか、または、
セルロース繊維原料を得る目的のために、さらなる脱リグニン化工程に付す、
ことを特徴とする請求項１から８のいずれか１項に記載のプロセス。
【請求項１０】
セルロースとヘミセルロースとが豊富な上記原料をキシラナーゼを用いて変換し、得られた液相をキシロースレダクターゼでキシリトールに酵素的に変換し、残りの固形物を、
異なる発酵産物を得るためにセルラーゼでさらに反応させるか、または、
熱的または熱化学的な変換に付すか、または、
細菌、酵母または真菌による微生物変換に付すか、または、
セルロース繊維原料を得る目的のために、さらなる脱リグニン化工程に付す、
ことを特徴とする請求項９に記載のプロセス。
【請求項１１】
（発酵）産物の分離後に残った固形物を、バイオガス設備で発酵させて、さらにバイオガス化する処理を行うことを特徴とする請求項９または１０に記載のプロセス。
【手続補正２】
【補正対象書類名】明細書
【補正対象項目名】発明の名称
【補正方法】変更
【補正の内容】
【発明の名称】リグノセルロース原料からキシリトールを製造するプロセス
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
改変を有するＦＸタンパク質を発現する細胞であって、該ＦＸタンパク質は、配列番号１と少なくとも９０％同一であるアミノ酸配列を含み、該改変は、位置２８９のセリンでの置換および位置９０のリジンでの置換を含む、細胞。
【請求項２】
前記ＦＸタンパク質は、配列番号１と少なくとも９５％同一であるアミノ酸配列を含む、請求項１に記載の細胞。
【請求項３】
前記ＦＸタンパク質は、位置２８９にセリンおよび位置９０にリジンを有することを除いて、配列番号１と同一であるアミノ酸を含む、請求項１に記載の細胞。
【請求項４】
前記ＦＸタンパク質が、配列番号２を含む、請求項１に記載の細胞。
【請求項５】
前記細胞が、チャイニーズハムスター卵巣（ＣＨＯ）細胞である、請求項１〜４のいずれか一項に記載の細胞。
【請求項６】
前記細胞が、糖タンパク質を発現する、請求項１〜５のいずれか一項に記載の細胞。
【請求項７】
前記糖タンパク質が、抗体である、請求項６に記載の細胞。
【請求項８】
前記細胞が３７℃にて前記糖タンパク質をフコシル化する能力は、前記改変を欠く細胞によって呈される該糖タンパク質をフコシル化する能力の１０％以下である、請求項６または７に記載の細胞。
【請求項９】
フコシル化の低下を有する糖タンパク質を作製するための方法であって、該方法は、
（ａ）請求項１〜４のいずれか一項に記載の細胞を培養する工程であって、該細胞は糖タンパク質を発現する工程、および
（ｂ）該糖タンパク質を該培養物から単離する工程
を含む、方法。
【請求項１０】
前記培養工程は、外部フコース供給源の非存在下で３７℃の温度にて前記細胞を培養する工程をさらに含む、請求項９に記載の方法。
【請求項１１】
前記糖タンパク質が、免疫グロブリンＣＨ２領域および免疫グロブリンＣＨ３領域を含む、請求項９または１０に記載の方法。
【請求項１２】
前記糖タンパク質が、抗体である、請求項１１に記載の方法。
【請求項１３】
前記細胞が、チャイニーズハムスター卵巣（ＣＨＯ）細胞である、請求項９〜１２のいずれか一項に記載の方法。
【請求項１４】
前記糖タンパク質の６％以下がフコシル化される、請求項１１に記載の方法。
【請求項１５】
前記糖タンパク質の２％以下がフコシル化される、請求項１４に記載の方法。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示パターンを決定するための可変表示決定用乱数を抽出する抽出手段と、
少なくとも前記抽出手段により抽出された前記可変表示決定用乱数を保留記憶情報として記憶する保留記憶手段と、
前記有利状態に制御するか否かを決定する決定手段と、
前記決定手段による決定結果と、可変表示を開始するときの前記保留記憶手段における保留記憶数と、前記抽出手段により抽出された前記可変表示決定用乱数の値と、判定値とに基づいて、可変表示パターンを決定する可変表示パターン決定手段と、
前記可変表示パターン決定手段の決定結果に基づいて可変表示を実行する可変表示実行手段と、
前記可変表示パターン決定手段による決定前に、前記抽出手段により抽出された前記可変表示決定用乱数の値と、判定値とに基づいて、特定可変表示パターンとなるか否かを判定する判定手段と、
前記判定手段によって特定可変表示パターンとなると判定された場合に、当該判定対象となった可変表示が開始される以前に、特定演出を実行可能である特定演出手段と、
所定状況において前記特定演出の実行を制限する特定演出制限手段とを備え、
特定可変表示パターンに対応した判定値のうちの少なくとも一部は、可変表示を開始するときの前記保留記憶手段における保留記憶数にかかわらず、同一判定値が設定され、
前記判定手段は、前記抽出手段により抽出された前記可変表示決定用乱数の値が同一判定値と合致するか否かを判定することによって、特定可変表示パターンとなるか否かを判定し、
特定可変表示パターンと異なる非特定可変表示パターンは、特定可変表示パターンと比較して可変表示を開始してから表示結果を導出表示するまでの可変表示時間が短い短縮用可変表示パターンを含む、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、可変表示を行い、遊技者にとって有利な有利状態に制御可能な遊技機に関する。
【手続補正３】
【補正対象書類名】明細書
【補正対象項目名】０００８
【補正方法】変更
【補正の内容】
【０００８】
上記目的を達成するため、本願の請求項に係る遊技機は、可変表示を行い、遊技者にとって有利な有利状態（例えば大当り遊技状態など）に制御可能な遊技機（例えばパチンコ遊技機１など）であって、可変表示パターンを決定するための可変表示決定用乱数を抽出する抽出手段と、少なくとも前記抽出手段により抽出された前記可変表示決定用乱数を保留記憶情報として記憶する保留記憶手段と、前記有利状態に制御するか否かを決定する決定手段（例えば遊技制御用マイクロコンピュータ１００のＣＰＵ８１がステップＳ２４０、Ｓ２４１、Ｓ２４６の処理を実行する部分など）と、前記決定手段による決定結果と、可変表示を開始するときの前記保留記憶手段における保留記憶数と、前記抽出手段により抽出された前記可変表示決定用乱数の値と、判定値とに基づいて、可変表示パターンを決定する可変表示パターン決定手段（例えばＣＰＵ８１がステップＳ２６６、Ｓ２６８の処理を実行する部分など）と、前記可変表示パターン決定手段の決定結果に基づいて可変表示を実行する可変表示実行手段と、前記可変表示パターン決定手段による決定前に、前記抽出手段により抽出された前記可変表示決定用乱数の値と、判定値とに基づいて、特定可変表示パターンとなるか否かを判定する判定手段と、前記判定手段によって特定可変表示パターンとなると判定された場合に、当該判定対象となった可変表示が開始される以前に、特定演出を実行可能である特定演出手段と、所定状況において前記特定演出の実行を制限する特定演出制限手段とを備え、特定可変表示パターンに対応した判定値のうちの少なくとも一部は、可変表示を開始するときの前記保留記憶手段における保留記憶数にかかわらず、同一判定値が設定され、前記判定手段は、前記抽出手段により抽出された前記可変表示決定用乱数の値が同一判定値と合致するか否かを判定することによって、特定可変表示パターンとなるか否かを判定し、特定可変表示パターンと異なる非特定可変表示パターンは、特定可変表示パターンと比較して可変表示を開始してから表示結果を導出表示するまでの可変表示時間が短い短縮用可変表示パターンを含む。
このような構成によれば、遊技興趣を向上させることができる。
なお、前記可変表示パターン決定手段は、可変表示を開始するときの前記保留記憶手段における保留記憶数が所定数以上である場合には、当該保留記憶数が所定数未満である場合と比較して、前記短縮用可変表示パターンに対応した判定値の個数が多く設定された判定値を用いて可変表示パターンを決定し、少なくとも前記保留記憶手段における保留記憶数が所定数未満である場合において、判定値は、前記保留記憶手段における保留記憶数が第１記憶数であるときと第２記憶数であるときとで共通であってもよい。遊技者の動作を検出する検出手段と、前記検出手段による検出結果に基づいて対応演出を実行可能である対応演出手段と、時間調整期間にて調整演出を実行可能である調整演出手段とを備えてもよい。
【手続補正書】
【提出日】平成28年8月5日(2016.8.5)
【手続補正１】
【補正対象書類名】明細書
【補正対象項目名】発明の名称
【補正方法】変更
【補正の内容】
【発明の名称】鋳造混合物における添加剤としての無機塩及び酸化鉄の使用
【手続補正２】
【補正対象書類名】特許請求の範囲
【補正対象項目名】全文
【補正方法】変更
【補正の内容】
【特許請求の範囲】
【請求項１】
鋳造される金属部品のベイニングを低減するための金属部品を鋳造する鋳造混合物における添加剤としての無機塩及び酸化鉄の使用であって、
鋳造混合物はさらに鋳造用骨材としてのケイ砂及び有機バインダーを含み、
無機塩は、硫酸ナトリウム塩、硫酸カリウム塩、硫酸カルシウム塩、及び硫酸マグネシウム塩、並びにそれらの混合物からなる群から選択され、または、硝酸ナトリウム塩、硝酸カリウム塩、硝酸カルシウム塩、及び硝酸マグネシウム塩、並びにそれらの混合物からなる群から選択され、
無機塩は、鋳造用骨材の重量を基準として０．２５重量パーセント〜５．０重量パーセントが使用され、
酸化鉄は、赤色酸化鉄、黒色酸化鉄、及びそれらの混合物からなる群から選択される、無機塩及び酸化鉄の使用。
【請求項２】
酸化鉄が赤色酸化鉄である、請求項１に記載の無機塩及び酸化鉄の使用。
【請求項３】
無機塩が、硫酸ナトリウム、硫酸カリウム、硫酸カルシウム、及び硫酸マグネシウム、並びにそれらの混合物からなる群から選択される、請求項１に記載の無機塩及び酸化鉄の使用。
【請求項４】
無機塩が、硝酸ナトリウム、硝酸カリウム、硝酸カルシウム、及び硝酸マグネシウム、並びにそれらの混合物からなる群から選択される、請求項１に記載の無機塩及び酸化鉄の使用。
【請求項５】
石膏が、鋳造混合物中で硫酸カルシウム塩源として使用される、請求項３又は４に記載の無機塩及び酸化鉄の使用。
【請求項６】
鋳造混合物がドロマイトをさらに含有する、請求項１に記載の無機塩及び酸化鉄の使用。
【請求項７】
硫酸塩及び／又は硝酸塩対赤色酸化鉄の重量比が１：１〜４：１である、請求項２、３及び４のいずれか１項に記載の無機塩及び酸化鉄の使用。
【請求項８】
硫酸塩及び／又は硝酸塩対赤色酸化鉄の重量比が１：１〜２：１である、請求項７に記載の無機塩及び酸化鉄の使用。
【請求項９】
バインダーがフェノールウレタンバインダー又はエポキシアクリレートバインダーである、請求項１に記載の無機塩及び酸化鉄の使用。
【請求項１０】
鋳造混合物が液体触媒を含有する、請求項１又は９に記載の無機塩及び酸化鉄の使用。
【請求項１１】
鋳造混合物中の硫酸塩及び／又は硝酸塩の量が、鋳造用骨材の重量を基準として０．５重量パーセント〜４．０重量パーセントである、請求項１に記載の無機塩及び酸化鉄の使用。
【請求項１２】
鋳造混合物中の硫酸塩及び／又は硝酸塩の量が、鋳造用骨材の重量を基準として０．５重量パーセント〜２．５重量パーセントである、請求項１に記載の無機塩及び酸化鉄の使用。
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
質量％で
Ｂ２Ｏ３成分を１０．０〜３６．０％（Ｂ２Ｏ３成分を２５．０％以上含有するものを除く）、
Ｌａ２Ｏ３成分を２５．０〜５５．０％、
Ｙ２Ｏ３成分を９．８００〜１５．０％及び
ＺｎＯ成分を１．５００〜４．６８０％
含有し、
ＳｉＯ２成分の含有量が０〜６．６１０％であり、
質量比Ｙ２Ｏ３／（Ｙ２Ｏ３＋Ｇｄ２Ｏ３）が０．５００以上であり、
質量比Ｌａ２Ｏ３／（Ｌａ２Ｏ３＋Ｙ２Ｏ３＋Ｇｄ２Ｏ３＋Ｙｂ２Ｏ３）が０．７８６以上０．８１７以下であり、
３９以上のアッベ数（νｄ）及び１．７５以上の屈折率（ｎｄ）を有し、１２３０℃以下の液相温度を有する光学ガラス。
【請求項２】
質量％でＧｄ２Ｏ３成分の含有量が１０．０％未満である請求項１記載の光学ガラス。
【請求項３】
質量％で
Ｌｉ２Ｏ成分  ０〜１０．０％
である請求項１又は２記載の光学ガラス。
【請求項４】
質量％で
Ｔａ２Ｏ５成分  ０〜１８．０％
Ｙｂ２Ｏ３成分  ０〜２０．０％
である請求項１から３のいずれか記載の光学ガラス。
【請求項５】
Ｌｎ２Ｏ３成分（式中、ＬｎはＬａ、Ｇｄ、Ｙ、Ｙｂからなる群より選択される１種以上）の質量和が３６．０％以上７０．０％以下である請求項１から４のいずれか記載の光学ガラス。
【請求項６】
質量％で
ＭｇＯ成分  ０〜２０．０％
ＣａＯ成分  ０〜２０．０％
ＢａＯ成分  ０〜２５．０％
である請求項１から５のいずれか記載の光学ガラス。
【請求項７】
ＲＯ成分（式中、ＲはＭｇ、Ｃａ、Ｓｒ、Ｂａからなる群より選択される１種以上）の質量和が２５．０％以下である請求項１から６のいずれかに記載の光学ガラス。
【請求項８】
質量％で
ＴｉＯ２成分  ０〜１５．０％
Ｎｂ２Ｏ５成分  ０〜２０．０％
ＷＯ３成分  ０〜２０．０％
である請求項１から７のいずれかに記載の光学ガラス。
【請求項９】
ＴｉＯ２成分、Ｎｂ２Ｏ５成分及びＷＯ３成分の含有量の和が３０．０％以下である請求項１から８のいずれかに記載の光学ガラス。
【請求項１０】
質量％で
Ｎａ２Ｏ成分  ０〜１０．０％
Ｋ２Ｏ成分  ０〜１０．０％
Ｃｓ２Ｏ成分  ０〜１０．０％
である請求項１から９のいずれかに記載の光学ガラス。
【請求項１１】
Ｒｎ２Ｏ成分（式中、ＲｎはＬｉ、Ｎａ、Ｋ、Ｃｓからなる群より選択される１種以上）の質量和が１５．０％以下である請求項１から１０のいずれかに記載の光学ガラス。
【請求項１２】
質量％で
Ｐ２Ｏ５成分  ０〜１０．０％
ＧｅＯ２成分  ０〜１０．０％
ＺｒＯ２成分  ０〜１５．０％
Ａｌ２Ｏ３成分  ０〜１０．０％
Ｇａ２Ｏ３成分  ０〜１０．０％
Ｂｉ２Ｏ３成分  ０〜１０．０％
ＴｅＯ２成分  ０〜２０．０％
ＳｎＯ２成分  ０〜１．０％
Ｓｂ２Ｏ３成分  ０〜１．０％
である請求項１から１１のいずれか記載の光学ガラス。
【請求項１３】
５．５０以下の比重を有する請求項１から１２のいずれか記載の光学ガラス。
【請求項１４】
請求項１から１３のいずれか記載の光学ガラスを母材とする光学素子。
【請求項１５】
請求項１４記載の光学素子を備える光学機器。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行うことが可能な遊技機であって、
遊技媒体が流下する流下経路と、
前記流下経路を流下する遊技媒体が通過したことを検出する第１検出手段と、
前記流下経路を流下する遊技媒体が通過したことを前記第１検出手段よりも下流側で検出する第２検出手段と、
前記第１検出手段と前記第２検出手段との検出結果に基づいて、前記第１検出手段と前記第２検出手段の検出数の差が所定の閾値を超える異常を判定する異常判定手段と、
前記異常判定手段により異常と判定されたことに基づいて異常が発生した旨を遊技機外部に報知するためのエラー状態に所定期間移行させる移行手段と、
を備え、
前記所定の閾値は、前記流下経路において前記第１検出手段と前記第２検出手段との間に滞留し得る遊技媒体の数よりも多い値であり、
前記移行手段がエラー状態に移行させている期間においても前記流下経路を遊技媒体が流下し得るとともに、当該期間においても前記異常判定手段は、前記第１検出手段と前記第２検出手段との検出結果に基づいて異常を判定するものであり、
前記移行手段は、前記移行手段がエラー状態に移行させている期間において前記異常判定手段により異常と判定されたことに基づいて、エラー状態に再度所定期間移行させるものである、遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、
遊技媒体を用いて遊技を行うことが可能な遊技機であって、
遊技媒体が流下する流下経路と、
前記流下経路を流下する遊技媒体が通過したことを検出する第１検出手段と、
前記流下経路を流下する遊技媒体が通過したことを前記第１検出手段よりも下流側で検出する第２検出手段と、
前記第１検出手段と前記第２検出手段との検出結果に基づいて、前記第１検出手段と前記第２検出手段の検出数の差が所定の閾値を超える異常を判定する異常判定手段と、
前記異常判定手段により異常と判定されたことに基づいて異常が発生した旨を遊技機外部に報知するためのエラー状態に所定期間移行させる移行手段と、
を備え、
前記所定の閾値は、前記流下経路において前記第１検出手段と前記第２検出手段との間に滞留し得る遊技媒体の数よりも多い値であり、
前記移行手段がエラー状態に移行させている期間においても前記流下経路を遊技媒体が流下し得るとともに、当該期間においても前記異常判定手段は、前記第１検出手段と前記第２検出手段との検出結果に基づいて異常を判定するものであり、
前記移行手段は、前記移行手段がエラー状態に移行させている期間において前記異常判定手段により異常と判定されたことに基づいて、エラー状態に再度所定期間移行させるものである
ことを特徴としている。
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
遊技球の入賞が困難な閉止状態と、前記閉止状態と比較して遊技球の入賞が容易な開放状態と、を形成することが可能な可変入賞装置と、
前記可変入賞装置への遊技球の入賞を契機として、特賞状態を生起させるか否かを決定する第１抽選を実行する抽選手段と、
前記第１抽選が実行された場合に、表示手段において、識別情報の変動表示を行った後に、当該第１抽選の結果に対応する態様による識別情報の停止表示を行う表示制御手段と、
遊技球による所定領域の通過を契機として実行された第２抽選に当選した場合に、前記可変入賞装置を前記閉止状態から前記開放状態へと変位させる入賞口開放遊技状態を生起させる入賞口開放遊技状態制御手段と、
前記入賞口開放遊技状態における前記可変入賞装置が前記開放状態とされる時間を当該制御が実行されていない場合と比較して延長する開放時間延長制御を実行することが可能な開放時間制御手段と、
前記表示制御手段により前記識別情報の変動表示が行われる時間を当該制御が実行されていない場合と比較して短縮する変動時間短縮制御を実行することが可能な変動時間制御手段と、
所定のフラグが設定されていない際に前記第１抽選により前記特賞状態を生起させることが決定される確率が第１確率となる第１抽選確率状態を生起させること、及び前記所定のフラグが設定されている際に前記第１抽選により前記特賞状態を生起させることが決定される確率が前記第１確率より高い第２確率となる第２抽選確率状態を生起させることが可能な抽選確率制御手段と、を備え、
前記開放時間制御手段は、
前記第２抽選確率状態が生起されている際に、前記開放時間延長制御を実行し、前記第１抽選確率状態が生起されている際に、開放時間延長制御を実行せず、
前記変動時間制御手段は、
前記第２抽選確率状態が生起されている際に、前記変動時間短縮制御を実行することを特徴とする遊技機。
【請求項２】
前記特賞状態が生起された際に開放状態となる大入賞口と、
賞球の払い出しを制御する払出制御手段と、を備え、
前記払出制御手段は、
遊技球が前記所定領域を通過したことが検知された際に賞球の払い出しを行わず、遊技球が前記大入賞口に入賞した際に、遊技球が前記可変入賞装置に入賞した際に払い出される賞球数よりも多い数の賞球の払い出しを行うこと
を特徴とする請求項１記載の遊技機。
【手続補正２】
【補正対象書類名】明細書
【補正対象項目名】０００８
【補正方法】変更
【補正の内容】
【０００８】
上記目的を達成するために、第一の発明に係る遊技機は、遊技球の入賞が困難な閉止状態と、前記閉止状態と比較して遊技球の入賞が容易な開放状態と、を形成することが可能な可変入賞装置と、前記可変入賞装置への遊技球の入賞を契機として、特賞状態を生起させるか否かを決定する第１抽選を実行する抽選手段と、前記第１抽選が実行された場合に、表示手段において、識別情報の変動表示を行った後に、当該第１抽選の結果に対応する態様による識別情報の停止表示を行う表示制御手段と、遊技球による所定領域の通過を契機として実行された第２抽選に当選した場合に、前記可変入賞装置を前記閉止状態から前記開放状態へと変位させる入賞口開放遊技状態を生起させる入賞口開放遊技状態制御手段と、前記入賞口開放遊技状態における前記可変入賞装置が前記開放状態とされる時間を当該制御が実行されていない場合と比較して延長する開放時間延長制御を実行することが可能な開放時間制御手段と、前記表示制御手段により前記識別情報の変動表示が行われる時間を当該制御が実行されていない場合と比較して短縮する変動時間短縮制御を実行することが可能な変動時間制御手段と、所定のフラグが設定されていない際に前記第１抽選により前記特賞状態を生起させることが決定される確率が第１確率となる第１抽選確率状態を生起させること、及び前記所定のフラグが設定されている際に前記第１抽選により前記特賞状態を生起させることが決定される確率が前記第１確率より高い第２確率となる第２抽選確率状態を生起させることが可能な抽選確率制御手段と、を備え、前記開放時間制御手段は、前記第２抽選確率状態が生起されている際に、前記開放時間延長制御を実行し、前記第１抽選確率状態が生起されている際に、開放時間延長制御を実行せず、前記変動時間制御手段は、前記第２抽選確率状態が生起されている際に、前記変動時間短縮制御を実行することを特徴とする。
【手続補正３】
【補正対象書類名】明細書
【補正対象項目名】０００９
【補正方法】変更
【補正の内容】
【０００９】
第一の発明に係る遊技機では、開放時間制御手段が、変動時間短縮制御の実行に同期させずに、開放時間延長を実行する。具体的には、第２抽選確率状態が生起されている際には、開放時間延長制御及び変動時間短縮制御の両方が実行される。一方、第１抽選確率状態が生起されている際には、開放時間延長制御が実行されない。
【手続補正４】
【補正対象書類名】明細書
【補正対象項目名】００１０
【補正方法】変更
【補正の内容】
【００１０】
これにより、第１抽選確率状態及び第２抽選確率状態のうちいずれの状態が生起されているかに応じて、遊技球が可変入賞装置に入賞する可能性を変化させることができる。
したがって、第一の発明に係る遊技機では、可変入賞装置による遊技性を向上することができ、遊技の興趣を向上することが可能となる。
【手続補正５】
【補正対象書類名】明細書
【補正対象項目名】００１２
【補正方法】変更
【補正の内容】
【００１２】
また、第二の発明に係る遊技機は、第一の発明に係る遊技機において、前記特賞状態が生起された際に開放状態となる大入賞口と、賞球の払い出しを制御する払出制御手段と、を備え、前記払出制御手段は、遊技球が前記所定領域を通過したことが検知された際に賞球の払い出しを行わず、遊技球が前記大入賞口に入賞した際に、遊技球が前記可変入賞装置に入賞した際に払い出される賞球数よりも多い数の賞球の払い出しを行うことを特徴とする。
【手続補正６】
【補正対象書類名】明細書
【補正対象項目名】００１３
【補正方法】削除
【補正の内容】
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１表示装置と、該第１表示装置と異なる表示面積と表示画素密度とを有する第２表示装置と、
前記第１表示装置に表示される画像の画像データと前記第２表示装置に表示される画像の画像データとが読み出し可能に格納されるフレームバッファと、
を備え、
少なくとも前記第１表示装置に表示される第１連携画像の画像データを格納する第１画像バッファ領域と、前記第２表示装置に表示される第２連携画像の画像データを格納する第２画像バッファ領域とは、対応する前記第１表示装置と前記第２表示装置の表示面積に対応した領域として前記フレームバッファ内に設定されて、共通の画像を描画可能とされており、
前記第１画像バッファ領域に格納されている画像データの画像を拡大または縮小せずに前記第１表示装置に表示し、前記第２画像バッファ領域に格納されている画像データの画像を前記第２表示装置の表示画素密度に応じた倍率にて拡大または縮小して前記第２表示装置に表示し、
遊技者の動作を検出可能な動作検出手段をさらに備える
ことを特徴とする遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、
遊技が可能な遊技機（パチンコ機１）であって、
第１表示装置（第１表示装置９）と、該第１表示装置と異なる表示面積と表示画素密度とを有する第２表示装置（第２表示装置１１）と、
前記第１表示装置に表示される画像の画像データと前記第２表示装置に表示される画像の画像データとが読み出し可能に格納されるフレームバッファ（フレームバッファ領域（ＶＲＡＭ領域）として使用されるＳＤＲＡＭ２１０）と、
備え、
少なくとも前記第１表示装置に表示される第１連携画像の画像データ（第１連携画像データ）を格納する第１画像バッファ領域（第１描画領域）と前記第２表示装置に表示される第２連携画像の画像データ（第２連携画像データ）を格納する第２画像バッファ領域（第２描画領域）とは、対応する前記第１表示装置と前記第２表示装置の表示面積に対応した領域として前記フレームバッファ内に設定されて、共通の画像を描画可能とされており（例えば、フレームバッファ領域における第１描画領域及び第２描画領域のそれぞれに、同一の解像度となっているスプライト画像を描画する部分）、
前記第１画像バッファ領域に格納されている画像データの画像を拡大または縮小せずに前記第１表示装置に表示し、前記第２画像バッファ領域に格納されている画像データの画像を前記第２表示装置の表示画素密度に応じた倍率にて拡大または縮小して前記第２表示装置に表示（例えば、第２描画領域にて描画された第２画像データが、横４００ピクセル、縦３００ピクセルとなっており、この第２画像データを１６０％拡大（スケールアップ）して横６４０ピクセル、縦４８０ピクセルの画像データとして第２表示装置１１に表示する）し、
遊技者の動作を検出可能な動作検出手段をさらに備える
ことを特徴としている。
また、異なる遊技機の間で共通に使用可能な共用部材（右下外レール部）に設けられる複数の発光手段（状態表示ＬＥＤ３００ａ、ＬＥＤ３００ｂ、ＬＥＤ３００ｃ、ＬＥＤ３００ｄ）により構成されるとともに、遊技状態を発光手段の発光態様により報知する状態表示手段（状態表示部）と、
前記共用部材に設けられ、前記状態表示手段により報知される遊技状態を識別するための機能情報（例えば、状態表示ＬＥＤ３００ａの近傍に記される「１５Ｒ」など）が記された機能表示部（状態表示部）と、をさらに備え、
前記機能表示部には、該遊技機の機種を識別可能な機種識別情報（機種を示す管理情報）が記されていてもよい。
この特徴によれば、第１画像バッファ領域と第２画像バッファ領域では、表示画素密度が擬似的に同一とされているので、共通の画像データを描画するときに、画像を拡大や縮小して描画する必要がないので、制御が複雑化してしまうことを防止できるとともに、第２画像バッファ領域に描画された画像データが、第２表示装置の表示画素密度に応じた倍率にて拡大または縮小されて読み出されるため、第１表示装置と第２表示装置として表示画素密度が同一のものを使用する必要がないので、表示画素密度が異なる安価な表示装置を使用できるので、コストを削減することができる。
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行いうる抽選手段と、
前記抽選の結果に基づいて所定の表示演出が行われる表示領域を有する表示手段と、
前記表示領域にて前記抽選の結果が特定の結果である旨を示す特定表示態様が表示されると、遊技者に有利な特典遊技を実行する特典遊技実行手段と、
前記表示領域に表示される前記所定の表示演出を妨げないよう当該表示演出を視認できるかたちで所定の態様で可動しうるように前記表示領域の略周縁に配置される可動手段と、
前記可動手段の可動態様を制御する可動制御手段と、
前記表示領域にて行われる表示演出を実行可能な演出制御手段と、
を備え、前記可動手段が前記表示領域の前方に表出して該表示領域の前方において特定の可動演出が行われると前記抽選の結果に対する期待感を与えうる遊技機であって、
前記可動制御手段は、
前記表示領域の略周縁にある前記可動手段を、前記抽選の結果に基づいて、前記表示領域に表示される前記所定の表示演出を妨げうる位置である該表示領域の前方に第１の形態で表出させたのち、前記表示領域の略周縁まで移動させる可動体作動制御手段と、
前記表示領域に前記第１の形態で表出したのちに前記略周縁まで移動された前記可動手段を、前記第１の形態とは異なる第２の形態で再び前記表示領域の前方に移動させて、前記抽選の結果に対する期待感を遊技者に与えうる前記特定の可動演出を実行可能な特定可動演出実行制御手段と、
演出制御手段は、
前記可動体作動制御手段を実行する時において、前記表示領域にて前記可動手段の動きに連動しない演出をすることで前記可動手段の動きを注目させないようにしうる非連動演出制御手段
を有することを特徴とする遊技機。
【請求項２】
前記抽選手段は、前記受入口への遊技媒体の受け入れに基づいて取得された乱数を用いて行うものである
請求項１に記載の遊技機。
【請求項３】
前記表示手段は、液晶表示装置として設けられてなる
請求項１または２に記載の遊技機。
【手続補正２】
【補正対象書類名】明細書
【補正対象項目名】０００７
【補正方法】変更
【補正の内容】
【０００７】
請求項１に記載の遊技機は、所定の始動条件の成立に基づいて抽選を行いうる抽選手段と、
前記抽選の結果に基づいて所定の表示演出が行われる表示領域を有する表示手段と、
前記表示領域にて前記抽選の結果が特定の結果である旨を示す特定表示態様が表示されると、遊技者に有利な特典遊技を実行する特典遊技実行手段と、前記表示領域に表示される前記所定の表示演出を妨げないよう当該表示演出を視認できるかたちで所定の態様で可動しうるように前記表示領域の略周縁に配置される可動手段と、前記可動手段の可動態様を制御する可動制御手段と、前記表示領域にて行われる表示演出を実行可能な演出制御手段と、を備え、前記可動手段が前記表示領域の前方に表出して該表示領域の前方において特定の可動演出が行われると前記抽選の結果に対する期待感を与えうる遊技機であって、
前記可動制御手段は、前記表示領域の略周縁にある前記可動手段を、前記抽選の結果に基づいて、前記表示領域に表示される前記所定の表示演出を妨げうる位置である該表示領域の前方に第１の形態で表出させたのち、前記表示領域の略周縁まで移動させる可動体作動制御手段と、前記表示領域に前記第１の形態で表出したのちに前記略周縁まで移動された前記可動手段を、前記第１の形態とは異なる第２の形態で再び前記表示領域の前方に移動させて、前記抽選の結果に対する期待感を遊技者に与えうる前記特定の可動演出を実行可能な特定可動演出実行制御手段と、演出制御手段は、前記可動体作動制御手段を実行する時において、前記表示領域にて前記可動手段の動きに連動しない演出をすることで前記可動手段の動きを注目させないようにしうる非連動演出制御手段を有するようにしたものである。
請求項２に記載の遊技機は、請求項１に記載された抽選手段を、前記受入口への遊技媒体の受け入れに基づいて取得された乱数を用いて行うようにしたものである。
請求項３に記載の遊技機は、請求項１または２に記載された表示手段が、液晶表示装置として設けられてなるものである。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行う抽選手段と、
前記抽選の結果に基づいて所定の表示演出が行われる表示領域を有する表示手段と、
前記抽選の結果に基づいて、遊技者に有利な特典遊技を実行可能な特典遊技実行手段と、
所定の待機位置から前記表示領域の前方に進出し、該表示領域の前方において、前記抽選の結果に対する期待感を与えうる特定可動演出が実行可能な可動手段と、
前記抽選の結果に基づいて、前記可動手段を、前記所定の待機位置から前記表示領域の前方に進出させて、前記特定可動演出が行われるように作動させる可動演出制御手段と、
前記表示領域にて行われる表示演出を実行可能な演出制御手段と、
を備え、
前記可動手段が前記表示領域の前方に表出して該表示領域の前方において前記特定可動演出が行われると前記抽選の結果に対する期待感を与えうる遊技機であって、
前記所定の待機位置は、前方から前記表示領域の略周縁の位置であるとともに、
前記可動演出制御手段は、
前記特定可動演出を前記表示領域の前方において行うにあたり、前方から前記表示領域の略周縁の位置である初期位置に配置されている前記可動手段を、該初期位置から前記表示領域の前方に一旦は表出させるものの該特定可動演出を行うことなく、前記所定の待機位置まで移動させ、該所定の待機位置にある可動手段の形態は、初期位置の形態とは異なる特定の形態になるとともに、該所定の待機位置から前記表示領域の前方に進出させて該特定可動演出を行う可動体作動制御手段と
前記演出制御手段は、
前記可動手段を前記所定の待機位置から前記表示領域の前方に進出させて、前記特定可動演出を行う時において、該特定可動演出を補助する演出を行なうことで該可動手段の動きを注目させるようにしうる注目演出制御手段
を有することを特徴とする遊技機。
【請求項２】
前記抽選手段は、前記受入口への遊技媒体の受け入れに基づいて取得された乱数を用いて行うものである
請求項１に記載の遊技機。
【請求項３】
前記表示手段は、液晶表示装置として設けられてなる
請求項１または２に記載の遊技機。
【手続補正２】
【補正対象書類名】明細書
【補正対象項目名】０００７
【補正方法】変更
【補正の内容】
【０００７】
請求項１に記載の遊技機は、所定の始動条件の成立に基づいて抽選を行う抽選手段と、前記抽選の結果に基づいて所定の表示演出が行われる表示領域を有する表示手段と、前記抽選の結果に基づいて、遊技者に有利な特典遊技を実行可能な特典遊技実行手段と、所定の待機位置から前記表示領域の前方に進出し、該表示領域の前方において、前記抽選の結果に対する期待感を与えうる特定可動演出が実行可能な可動手段と、前記抽選の結果に基づいて、前記可動手段を、前記所定の待機位置から前記表示領域の前方に進出させて、前記特定可動演出が行われるように作動させる可動演出制御手段と、前記表示領域にて行われる表示演出を実行可能な演出制御手段と、を備え、前記可動手段が前記表示領域の前方に表出して該表示領域の前方において前記特定可動演出が行われると前記抽選の結果に対する期待感を与えうる遊技機であって、前記所定の待機位置は、前方から前記表示領域の略周縁の位置であるとともに、前記可動演出制御手段は、前記特定可動演出を前記表示領域の前方において行うにあたり、前方から前記表示領域の略周縁の位置である初期位置に配置されている前記可動手段を、該初期位置から前記表示領域の前方に一旦は表出させるものの該特定可動演出を行うことなく、前記所定の待機位置まで移動させ、該所定の待機位置にある可動手段の形態は、初期位置の形態とは異なる特定の形態になるとともに、該所定の待機位置から前記表示領域の前方に進出させて該特定可動演出を行う可動体作動制御手段と前記演出制御手段は、前記可動手段を前記所定の待機位置から前記表示領域の前方に進出させて、前記特定可動演出を行う時において、該特定可動演出を補助する演出を行なうことで該可動手段の動きを注目させるようにしうる注目演出制御手段  を有することを特徴とする遊技機にしたものである。
請求項２に記載の遊技機は、請求項１に記載された抽選手段を、前記受入口への遊技媒体の受け入れに基づいて取得された乱数を用いて行うようにしたものである。
請求項３に記載の遊技機は、請求項１または２に記載された表示手段が、液晶表示装置として設けられてなるものである。